(57)【特許請求の範囲】
【請求項１】
希望チャンネル帯域の中間周波数信号を出力するチューナと、前記中間周波数信号から音声中間周波数信号を抽出する音声中間周波数信号抽出用ＳＡＷフィルタと、前記中間周波数信号から映像中間周波数信号を抽出する映像中間周波数信号抽出用ＳＡＷフィルタと、中間周波数増幅／検波回路とを有するＰＡＬおよびＳＥＣＡＭ−Ｌ方式対応型テレビ受信機において、
前記チューナと前記音声中間周波数信号抽出用ＳＡＷフィルタとの間に、前記音声中間周波数に同調した音声中間周波数同調増幅回路を有することを特徴とするＰＡＬおよびＳＥＣＡＭ−Ｌ方式対応型テレビ受信機。
【請求項２】
前記音声中間周波数同調増幅回路は、前記音声中間周波数での増幅度が前記映像中間周波数での増幅度に比較して大きいことを特徴とする請求項１記載のＰＡＬおよびＳＥＣＡＭ−Ｌ方式対応型テレビ受信機。
【請求項３】
前記音声中間周波数同調増幅回路は、同調用コンデンサの容量が前記音声中間周波数信号抽出用ＳＡＷフィルタの入力容量に比べて大きく設定された同調用タンク回路を備えていることを特徴とする請求項１記載のＰＡＬおよびＳＥＣＡＭ−Ｌ方式対応型テレビ受信機。
【請求項４】
前記音声中間周波数同調増幅回路は、前記映像中間周波数との差が５．５ＭＨz、６．０ＭＨz、および６．５ＭＨzの３種の音声中間周波数を増幅帯域とすることを特徴とする請求項１記載のＰＡＬおよびＳＥＣＡＭ−Ｌ方式対応型テレビ受信機。
【請求項５】
前記音声中間周波数同調増幅回路は、受信するテレビ信号の音声中間周波数に合わせて同調周波数を切り換え可能に構成されていることを特徴とする請求項１記載のＰＡＬおよびＳＥＣＡＭ−Ｌ方式対応型テレビ受信機。
【請求項６】
さらに、前記音声中間周波数信号抽出用ＳＡＷフィルタの出力信号から映像中間周波数を減衰させる映像中間周波数トラップ回路を設けたことを特徴とする請求項１ないし５のいずれかに記載のＰＡＬおよびＳＥＣＡＭ−Ｌ方式対応型テレビ受信機。
【請求項７】
前記映像中間周波数トラップ回路をＳＡＷフィルタ素子で構成したことを特徴とする請求項６記載のＰＡＬおよびＳＥＣＡＭ−Ｌ方式対応型テレビ受信機。
【請求項８】
前記音声中間周波数信号抽出用ＳＡＷフィルタと前記映像中間周波数トラップ回路との間にインピーダンス素子を介在させることを特徴とする請求項７記載のＰＡＬおよびＳＥＣＡＭ−Ｌ方式対応型テレビ受信機。
【請求項９】
前記映像中間周波数トラップ回路をインダクタとコンデンサから成る直列共振回路で構成したことを特徴とする請求項６記載のＰＡＬおよびＳＥＣＡＭ−Ｌ方式対応型テレビ受信機。
【請求項１０】
前記映像中間周波数トラップ回路の減衰帯域が音声中間周波数を除く映像中間周波数信号帯域を包含することを特徴とする請求項６ないし９のいずれかに記載のＰＡＬおよびＳＥＣＡＭ−Ｌ方式対応型テレビ受信機。
【請求項１１】
前記映像中間周波数トラップ回路の減衰帯域が音声中間周波数を除く映像中間周波数信号帯域を包含するように前記映像中間周波数トラップ回路のＱを設定することを特徴とする請求項９記載のＰＡＬおよびＳＥＣＡＭ−Ｌ方式対応型テレビ受信機。
【請求項１２】
前記映像中間周波数トラップ回路の減衰帯域が音声中間周波数を除く映像中間周波数信号帯域を包含するように、少なくとも前記映像中間周波数トラップ回路を含む複数のトラップ回路を設けることを特徴とする請求項１１記載のＰＡＬおよびＳＥＣＡＭ−Ｌ方式対応型テレビ受信機。
【請求項１３】
前記複数のトラップ回路が一体になったトラップ素子を用いることを特徴とする請求項１２記載のＰＡＬおよびＳＥＣＡＭ−Ｌ方式対応型テレビ受信機。
【発明の詳細な説明】
【０００１】
【発明の属する技術分野】
本発明は、ヨーロッパやオーストラリアで採用されているＰＡＬ方式、およびフランスで採用されているＳＥＣＡＭ−Ｌ方式のテレビ信号を受信可能なＰＡＬおよびＳＥＣＡＭ−Ｌ方式対応型テレビ受信機に関するものである。
【０００２】
【従来の技術】
図８は、従来のＳＥＣＡＭ−Ｌ方式を受信できるテレビ受信機における映像および音声検波までの受信回路のブロック図である。図８において、１はアンテナ、２はチューナ、３は音声中間周波数（以下ＳＩＦと称す）用ＳＡＷ（表面弾性波）フィルタ、４は映像中間周波数（以下ＰＩＦと称す）用ＳＡＷフィルタ、５はＩＦ増幅／検波回路である。
【０００３】
図８において、アンテナ１で受信されたＲＦテレビ信号はチューナ２で選局／周波数変換された後、ａ点に対して、図９に示すような周波数特性を有する中間周波数（以下ＩＦと称す）信号として出力される。図９において、“Ｐ”はＰＩＦ（３８．９ＭＨｚ）、“Ｃ”はカラー搬送波周波数（約３４．５ＭＨｚ）、“Ｓ”はＳＩＦ（３２．４ＭＨｚ）であり、１チャンネル分の映像信号帯域を抽出するような特性になっている。
【０００４】
再び図８において、チューナ２から出力されたＩＦ信号は、隣接チャンネルのテレビ信号を排除するためのＳＩＦ用ＳＡＷフィルタ３、およびＰＩＦ用ＳＡＷフィルタ４に供給される。ＳＡＷフィルタの特性例は、図１０（ａ）、（ｂ）に示す通りであり、ＰＩＦ用ＳＡＷフィルタ４は、図１０（ａ）に示すように、映像信号のみを抽出するような特性になっており、不要なＳＩＦ信号を落とし込むようになっている。一方、ＳＩＦ用ＳＡＷフィルタ３は、図１０（ｂ）に示すように、ＳＩＦ信号のみを抽出するような特性になっており、不要なＰＩＦ信号成分は極力落とし込むようになっている。
【０００５】
従って、ＳＡＷフィルタを通すことにより、図８のｃ点には音声信号成分のみが得られる一方、ｄ点には映像信号成分のみが得られることになり、ＩＦ増幅／検波回路５において、それぞれ専用の回路で最適条件で増幅／検波される結果、ｅ点に音声検波出力、ｆ点に映像検波出力が得られることになる。この後、映像検波出力はクロマ復調されると共に、同期信号処理により表示素子に映像再生される一方、音声検波出力は増幅されてスピーカから音声出力される。ここで、クロマ復調回路や音声回路などの構成については周知であるので、詳細な説明は省略する。
【０００６】
ところで、このような受信回路では映像信号と音声信号がそれぞれ最適条件で別々に増幅／検波されるため、原理的に音声検波出力は一切、映像信号の影響を受けない筈であるが、実際はＳＡＷフィルタの排除性能に限度があるため、映像信号の影響を完全に排除することは難しい。
【０００７】
しかも、ＳＥＣＡＭ−Ｌ方式のテレビ信号では音声信号が映像信号同様に振幅変調（ＡＭ）であることから、周波数変調（ＦＭ）より映像信号の影響を受け易いという宿命にある。さらに、放送波の映像信号と音声信号の送信電力比をＦＭ音声のＮＴＳＣやＰＡＬ方式のテレビ信号に比べ大きくするようにして運用しており、図１１に示すように、受信されたテレビ信号のスペクトラムでも、所謂Ｐ−Ｓ比がＮＴＳＣ／ＰＡＬ方式での約６〜１０ｄＢであるのに対し、ＳＥＣＡＭ−Ｌ方式では、約１０〜２０ｄＢと大きくなっている。
【０００８】
また、テレビ受信機が車載用途の場合は、マルチパスにより受信条件が悪化し、このＰ−Ｓ比が変動する要素も加わることになり、据置き型のテレビ受信機での受信より受信条件が悪化することになる。
【０００９】
音声信号が映像信号の影響を受けると、音声検波出力のＳ／Ｎが劣化するが、最大の劣化現象は映像バズの発生である。映像信号による悪影響の周波数成分が高い場合は、ディ・エンファシス回路を含むロー・パス・フィルタ（ＬＰＦ）により音声品位をあまり損なうことなく軽減できるが、５０Ｈｚの垂直同期成分を含むバズの場合は、検波出力以降での除去が難しい。
【００１０】
【発明が解決しようとする課題】
上記のように、ＳＥＣＡＭ−Ｌ方式のテレビ放送では、映像／音声共にＡＭであることから、音声信号は原理的に映像信号の影響を受け易い上、放送信号のＰ−Ｓ比が大きいことから、音声検波出力に映像信号によるバズが発生し易いと言う宿命を有している。
【００１１】
そこで、本発明の課題は、このような不利な条件下、かつ、受信条件の変化が大きい車載用でもバズ音の発生しにくいＰＡＬおよびＳＥＣＡＭ−Ｌ方式対応型テレビ受信機を提供することにある。
【００１２】
【課題を解決するための手段】
上記課題を解決するため、本発明では、希望チャンネル帯域の中間周波数信号を出力するチューナと、前記中間周波数信号から音声中間周波数信号を抽出する音声中間周波数信号抽出用ＳＡＷフィルタと、前記中間周波数信号から映像中間周波数信号を抽出する映像中間周波数信号抽出用ＳＡＷフィルタとを有するＰＡＬおよびＳＥＣＡＭ−Ｌ方式対応型テレビ受信機において、前記チューナと前記音声中間周波数信号抽出用ＳＡＷフィルタとの間に、前記音声中間周波数に同調した音声中間周波数同調増幅回路を有することを特徴とする。
【００１３】
本発明では、チューナと音声中間周波数信号抽出用ＳＡＷフィルタとの間に音声中間周波数同調増幅回路を設けてあるため、この音声中間周波数同調増幅回路によって音声中間周波数信号のみを増幅した信号を音声中間周波数信号抽出用ＳＡＷフィルタに入力することになる。従って、音声中間周波数信号抽出用ＳＡＷフィルタのみでは除去できない映像信号成分を十分、低減した状態で増幅／検波できる。それ故、音声信号が映像信号と同様に振幅変調であるＳＥＣＡＭ−Ｌ方式のテレビ信号を受信する際に、音声受信感度の向上と映像信号の影響によるバズ音の発生とを効果的に軽減することができる。特に送信信号のＰ−Ｓ比が大きい場合や移動受信時のマルチパスによりＰ−Ｓ比が大きくなった場合などに効果的である。また、ＰＡＬ方式などＳＥＣＡＭ−Ｌ以外のＦＭテレビ音声の受信に際しても、受信感度の向上、および更なる音声品位の向上を図ることができる。
【００１４】
本発明において、前記音声中間周波数同調増幅回路は、前記音声中間周波数での増幅度が前記映像中間周波数での増幅度に比較して大きいことが好ましい。
【００１５】
本発明において、前記音声中間周波数同調増幅回路は、同調用コンデンサの容量が前記音声中間周波数信号抽出用ＳＡＷフィルタの入力容量に比べて大きく設定された同調用タンク回路を備えていることが好ましい。このように構成すると、前記音声中間周波数信号抽出用ＳＡＷフィルタの入力容量が同調周波数に影響するのを防止することができる。
【００１６】
本発明において、前記音声中間周波数同調増幅回路は、例えば、前記映像中間周波数との差が５．５ＭＨｚ、６．０ＭＨｚ、および６．５ＭＨｚの３種の音声中間周波数を増幅帯域とする。
【００１７】
本発明において、前記音声中間周波数同調増幅回路は、受信するテレビ信号の音声中間周波数に合わせて同調周波数を切り換え可能に構成されていることが好ましい。
【００１８】
本発明において、さらに、前記音声中間周波数信号抽出用ＳＡＷフィルタからの出力信号に対して映像中間周波数を減衰させる映像中間周波数トラップ回路を設けることが好ましい。このように構成すると、映像信号成分を十分、除去した上で増幅／検波することができるため、音声信号が映像信号と同様に振幅変調であるＳＥＣＡＭ−Ｌ方式のテレビ信号を受信する際に、映像信号の影響によりバズ音が発生するのをさらに効果的に軽減することができる。従って、特に送信信号のＰ−Ｓ比が大きい場合や、移動受信時のマルチパスによりＰ−Ｓ比が大きくなった場合などに効果的である。
【００１９】
本発明において、前記映像中間周波数トラップ回路は、例えば、ＳＡＷフィルタ素子で構成される。
【００２０】
本発明において、前記音声中間周波数信号抽出用ＳＡＷフィルタと前記映像中間周波数トラップ回路との間にインピーダンス素子を介在させることが好ましい。このように構成すると、前記音声中間周波数信号抽出用ＳＡＷフィルタと前記映像中間周波数トラップ回路とが共にＳＡＷフィルタで構成されている場合でも、これらのＳＡＷフィルタは、インピーダンス素子を介して接続しているため、ＳＡＷフィルタ間の相互干渉による特性への影響を排除することができる。
【００２１】
本発明において、前記映像中間周波数トラップ回路については、例えば、インダクタとコンデンサから成る直列共振回路で構成してもよい。
【００２２】
本発明では、前記映像中間周波数トラップ回路の減衰帯域が音声中間周波数を除く映像中間周波数信号帯域を包含する構成、あるいは、前記映像中間周波数トラップ回路の減衰帯域が音声中間周波数を除く映像中間周波数信号帯域を包含するように前記映像中間周波数トラップ回路のＱを設定した構成を採用することができる。
【００２３】
本発明において、前記映像中間周波数トラップ回路の減衰帯域が音声中間周波数を除く映像中間周波数信号帯域を包含するように、少なくとも前記映像中間周波数トラップ回路を含む複数のトラップ回路を設けてもよい。
【００２４】
この場合、前記複数のトラップ回路が一体になったトラップ素子を用いることが好ましい。
【００２５】
【発明の実施の形態】
図面を参照して、本発明の実施の形態を説明する。
【００２６】
［実施の形態１］
図１は、本発明を適用したテレビ受信機の受信回路に関するブロック図である。なお、本発明を適用したテレビ受信機の受信回路は、基本的な構成が従来のテレビ受信機と同様であるため、共通する機能を有する部分には同一の符号を付してある。
【００２７】
図１において、本形態のテレビ受信機は、ＳＥＣＡＭ−Ｌ方式を受信できるように構成されており、アンテナ１、希望チャンネル帯域の中間周波数（以下、ＩＦと称す）信号を出力するチューナ２、ＩＦ信号から音声中間周波数（以下ＳＩＦと称す）信号を抽出するＳＩＦ用ＳＡＷフィルタ（ＳＩＦ信号抽出用ＳＡＷフィルタ）３、ＩＦ信号から映像中間周波数（以下ＰＩＦと称す）信号を抽出するＰＩＦ用ＳＡＷフィルタ（ＰＩＦ信号抽出用ＳＡＷフィルタ）４、およびＩＦ増幅／検波回路５を有している。
【００２８】
本形態のテレビ受信機においても、従来と同様、アンテナ１で受信されたＲＦテレビ信号はチューナ２で選局／周波数変換され、ａ点に、図９を参照して説明した周波数特性を有するＩＦ信号が出力される。なお、図９において、“Ｐ”はＰＩＦ（３８．９ＭＨｚ）、“Ｃ”はカラー搬送波周波数（約３４．５ＭＨｚ）、“Ｓ”はＳＩＦ（３２．４ＭＨｚ）であり、１チャンネル分の映像信号帯域を抽出するような特性になっている。
【００２９】
再び図１において、チューナ２から出力されたＩＦ信号は、隣接チャンネルのテレビ信号を排除するためのＳＩＦ用ＳＡＷフィルタ３、およびＰＩＦ用ＳＡＷフィルタ４に供給される。
【００３０】
ここで、ＳＡＷフィルタの特性は、図１０（ａ）、（ｂ）を参照して説明したように、ＰＩＦ用ＳＡＷフィルタ４は、図１０（ａ）に示すように、映像信号のみを抽出するような特性になっており、不要なＳＩＦ信号は落とし込んでいる。一方、ＳＩＦ用ＳＡＷフィルタ３は、図１０（ｂ）に示すように、ＳＩＦ信号のみを抽出するような特性になっており、不要なＰＩＦ信号成分は極力落とし込むようになっている。
【００３１】
このようなＳＡＷフィルタを通すことにより、図１のｃ点には音声信号成分が得られる一方、ｄ点には映像信号成分が得られることになり、ＩＦ増幅／検波回路５において、それぞれ専用の回路で最適条件で増幅／検波される結果、ｅ点に音声検波出力、ｆ点に映像検波出力が得られることになる。この後、図示を省略するが、映像検波出力はクロマ復調されると共に、同期信号処理により表示素子に映像再生される一方、音声検波出力は増幅されてスピーカから音声出力される。
【００３２】
本形態のテレビ受信機が従来のものと異なるのは、チューナ２とＳＩＦ用ＳＡＷフィルタ３の入力との間に、ＳＩＦに同調するＳＩＦ同調アンプ６（音声中間周波数同調増幅回路）を設けたことである。
【００３３】
このような回路構成にすることにより、ＳＩＦ用ＳＡＷフィルタ３の入力時点で必要なＳＩＦ信号と不要なＰＩＦ信号のレベル差が増大しているため、ＳＩＦ用ＳＡＷフィルタ３単独では除去し切れなかった高いレベルの映像信号成分を更に低減することができる。従って、音声検波出力での映像信号成分によるバズ音の発生を低減できるものである。
【００３４】
（ＳＩＦ同調アンプ６の具体例１）
図２（ａ）、（ｂ）はそれぞれ、本発明を適用したテレビ受信機において、図１に示すＳＩＦ同調アンプ６の具体例を示す回路図、およびこのＳＩＦ同調アンプ６のアンプ特性を示す説明図である。
【００３５】
図２（ａ）において、ＳＩＦ同調アンプ６は、バイアス抵抗Ｒ１、Ｒ２、エミッタ抵抗Ｒ４、トランジスタＱ、ＳＩＦに同調したＳＩＦタンク回路６１とから構成され、このＳＩＦタンク回路６１は、コンデンサＣ２、インダクタＬ、タンク回路のダンピング抵抗Ｒ３から構成されている。ＳＩＦ同調アンプ６の入力部は、コンデンサＣ１を介してチューナ２のＩＦ出力端子（ａ点）に接続され、トランジスタＱのコレクタ出力は結合コンデンサＣ３を介してＳＩＦ用ＳＡＷフィルタ３の不平衡入力端子ｂに接続されている。
【００３６】
また、ＳＩＦ用ＳＡＷフィルタ３の平衡出力端子ｃaおよびｃbはそれぞれ結合コンデンサＣ４およびＣ５を介してＩＦ増幅／検波回路５のＳＩＦ用差動入力端子ｃcおよびｃdに接続されている。
【００３７】
この回路構成のＳＩＦ同調アンプ６では、同調周波数においてコレクタのインピーダンスが最大になり、このインピーダンスＺとエミッタ抵抗Ｒ４の比で決まる利得も同調周波数で最大になる。従って、ＳＩＦ同調アンプ６については、図２（ｂ）に示すように、音声中間周波数Ｓ（Ｓ１、Ｓ２、Ｓ３）で最大利得となる山型の周波数特性を有するアンプとすることができる。従って、映像中間周波数Ｐはアンプの帯域外に落とし込むことができるため、そのレベルＢは音声中間周波数ＳでのレベルＡ（Ａ１、Ａ２、Ａ３）に対し十分低減することができる。
【００３８】
それ故、本形態では、ＳＩＦ同調アンプ６とＳＩＦ用ＳＡＷフィルタ３とを組合せて使用することで、図１０（ｂ）を参照して説明したようなＳＩＦ用ＳＡＷフィルタ３では除去し切れなかった映像信号成分（Ｐ）のレベルを更に低減することができるので、映像信号の影響を更に排除した状態で音声信号の増幅とＡＭ検波を行うことができる。よって、ＳＥＣＡＭ−Ｌ方式対応型のテレビ受信機において、映像信号が原因となるバズ音の発生を抑えることができ、音声受信感度の向上を図ることができるものである。
【００３９】
なお、図２（ａ）において、同調用コンデンサＣ２は、同調回路のＱを大きくし、かつ、ＳＩＦ用ＳＡＷフィルタ３の入力容量が同調周波数に影響するのを軽減することを目的に、できるだけ大き目に設定することが望ましい。
【００４０】
また、図２（ｂ）では、音声中間周波数としてＳ１、Ｓ２、Ｓ３の３波を示しているが、これはテレビ受信機がＰＡＬおよびＳＥＣＡＭ−Ｌ方式のテレビ信号を受信可能なマルチ対応に構成してあるためで、ＳＥＣＡＭ−Ｌ方式の３２．４ＭＨｚのみならずＰ−Ｓ周波数差が６．５ＭＨｚ（Ｓ１：３２．４ＭＨｚ）、６．０ＭＨｚ（Ｓ２：３２．９ＭＨｚ）、５．５ＭＨｚ（Ｓ３：３３．４ＭＨｚ）のＰＡＬ又はＳＥＣＡＭ方式のＦＭ音声受信にも対応した場合を示すものである。すなわち、ＦＭ音声の場合であっても映像信号の影響があるとバズ音混入の原因になるため少ない方が望ましく、上記のようなＳＩＦ同調アンプ６を採用することで、受信感度向上と復調音声の品位向上に効果があることは言うまでもない。
【００４１】
（ＳＩＦ同調アンプ６の具体例２）
図３（ａ）、（ｂ）はそれぞれ、本発明を適用したテレビ受信機において、図１に示すＳＩＦ同調アンプ６の別の具体例を示す回路図、およびこのＳＩＦ同調アンプ６のアンプ特性を示す説明図である。図４は、図３（ａ）に示す音声中間周波数同調アンプに使用されている可変容量ダイオードの電圧−容量特性を示す説明図である。
【００４２】
本形態のＳＩＦ同調アンプ６の構成は、基本的には図２（ａ）を参照して説明したものと同様であるが、ＳＩＦタンク回路６１の同調周波数を可変にしている点が異なっている。すなわち、図２（ａ）、（ｂ）を参照して説明したものでは、同調点をＳ１からＳ３の内の最適な何れかに固定して用いることになるが、本形態のものでは、図３（ａ）に示すように、ＳＩＦタンク回路６１の同調点が可変であるため、受信チャンネルのＳＩＦ信号に合わせて同調周波数を切換えられる。
【００４３】
具体的には、ＳＩＦタンク回路６１では、コンデンサＣ２とインダクタＬからなる並列共振回路にコンデンサＣ６と可変容量ダイオードＶＤからなる直列回路を並列に接続し、可変容量ダイオードＶＤの一端に抵抗Ｒ５と切換えＳＷを介して直流電圧を印加するようにしてある。ここで、Ｃ６は直流阻止を目的とするコンデンサで、可変容量ダイオードＶＤの最大静電容量に比較して十分大きな容量値に設定され、コンデンサＣ６と可変容量ダイオードＶＤからなる直列回路の等価容量が、ほぼ可変容量ダイオードＶＤの容量のみで決まるようにしてある。
【００４４】
その他の構成は、図２（ａ）を参照して説明したものと同様であるため、それらの説明を省略する。
【００４５】
このように構成したＳＩＦ同調アンプ６では、例えばスイッチＳＷにより電圧Ｖ１が可変容量ダイオードＶＤのアノードに印加されると、図４に可変容量ダイオードＶＤの電圧−容量特性を示すように、可変容量ダイオードＶＤ端子間容量はＣV1となる。従って、合成された同調容量が（Ｃ２＋ＣV1）となるため、ＳＩＦタンク回路６１の同調周波数は、図３（ｂ）に示すＳ１となる。
【００４６】
これに対して、可変容量ダイオードＶＤに電圧Ｖ２が印加されると、可変容量ダイオードＶＤの容量はＣV2となる。従って、合成された同調容量が（Ｃ２＋ＣV2）となるため、ＳＩＦタンク回路６１の同調周波数は、図３（ｂ）に示すＳ２となる。
【００４７】
また、可変容量ダイオードＶＤに電圧Ｖ３が印加されると、可変容量ダイオードＶＤの容量はＣV3となる。従って、合成された同調容量が（Ｃ２＋ＣV3）となるため、ＳＩＦタンク回路６１の同調周波数は、図３（ｂ）に示すＳ３となる。
【００４８】
従って、ＳＩＦ同調アンプ６では、図３（ｂ）に示すように、スイッチＳＷの切換えによりＳＩＦ同調アンプ６の同調周波数を常に受信信号の周波数に合わせるようにすることができるため、本発明の効果を最大に引出すことができるようになる。
【００４９】
なお、可変容量ダイオードＶＤに印加する電圧の切換は、放送波の受信地域の設定やチャンネル選局動作等をマイコンで制御するシステムであれば、同一マイコンを利用して比較的容易に制御できることは言うまでもない。
【００５０】
［実施の形態２］
図５は、本発明を適用した別のテレビ受信機に関する受信回路のブロック図である。
【００５１】
本形態のテレビ受信機も、図１を参照して説明したものと同様、アンテナ１、希望チャンネル帯域のＩＦ信号を出力するチューナ２、ＩＦ信号からＳＩＦ信号を抽出するＳＩＦ用ＳＡＷフィルタ３、ＩＦ信号からＰＩＦ信号を抽出するＰＩＦ用ＳＡＷフィルタ４、およびＩＦ増幅／検波回路５を有している。また、本形態でも、図１を参照して説明したものと同様、チューナ２とＳＩＦ用ＳＡＷフィルタ３の入力との間にＳＩＦ同調アンプ６が設けられている。このため、ＳＩＦ用ＳＡＷフィルタ３の入力時点で必要なＳＩＦ信号と不要なＰＩＦ信号のレベル差が増大するため、ＳＩＦ用ＳＡＷフィルタ単独では除去し切れなかった高いレベルの映像信号成分を更に低減することができ、結果的に音声検波出力での映像信号成分によるバズ音の発生を低減できるものである。
【００５２】
さらに本形態では、ＳＩＦ用ＳＡＷフィルタ３の出力とＩＦ増幅／検波回路５との間にＰＩＦトラップ回路７を設けてある。ここで、トラップ回路は、所定周波数の信号に共振させて、その信号を除去、または十分に小さくするものであり、ＰＩＦトラップ回路７は、ＳＩＦ用ＳＡＷフィルタ３から出力されたＳＩＦ出力から映像周波数の信号を減衰する。
【００５３】
その他の構成は、図１を参照して説明したものと同様であるため、それらの説明を省略する。
【００５４】
このように構成した本形態のテレビ受信機では、ＳＩＦ同調アンプ６及びＳＩＦ用ＳＡＷフィルタ３で除去し切れなかった高いレベルの映像信号成分をＰＩＦトラップ回路７によって更に低減することができる。このため、結果的に音声検波出力に映像信号成分が重畳されて検波されることを低減できるので、映像信号成分によるバズ音の発生を低減できる。すなわち、ＳＥＣＡＭ−Ｌ方式では、映像信号と音声信号が共に振幅変調（ＡＭ）で互いに干渉し易い上に、送信電力比（Ｐ−Ｓ比）が元々大きいためＦＭ以上に映像信号の影響を受けやすいので、音声信号成分に対する映像信号成分を相対的にいくら低減しても、し過ぎることはないのである。従って、図５に示すように回路構成にすることにより、図１を参照して説明したもの以上に復調音声の品位を向上できるものである。
【００５５】
（ＰＩＦトラップ回路７の具体例１）
図６（ａ）、（ｂ）はそれぞれ、本発明の実施の形態２に係るテレビ受信機において、図５に示すＰＩＦトラップ回路７（映像中間周波数トラップ回路）の具体例を示す回路図、およびこのＰＩＦトラップ回路７のトラップ特性を示す説明図である。
【００５６】
図６（ａ）に示すように、本形態では、ＰＩＦトラップ回路７として、ＳＡＷフィルタ素子７１（ＳＡＷトラップ）が用いられている。ここで、ＳＩＦ用ＳＡＷフィルタ３の不平衡入力端子（点b）には、ＳＩＦ同調アンプ６から出力された信号が入力され、平衡出力端子ｃaおよびｃbには、それぞれ抵抗Ｒ１１およびコンデンサＣ１１、抵抗Ｒ１２およびコンデンサＣ１２が直列接続され、ＩＦ増幅／検波回路５のＳＩＦ用差動入力端子ｃcおよびｃdにそれぞれ入力されている。
【００５７】
そして、抵抗Ｒ１１とコンデンサＣ１１の接続点ｃe、および抵抗Ｒ１２とコンデンサＣ１２の接続点ｃfとの間に、ＰＩＦトラップ回路７としてのＳＡＷフィルタ素子７１が接続されており、このＰＩＦトラップ回路７は、図６（ｂ）に示すようなトラップ特性を有している。
【００５８】
このため、本形態のテレビ受信機では、図２（ｂ）に例示したようなＳＩＦ同調アンプ６及び図１０（ｂ）に例示したようなＳＩＦ用ＳＡＷフィルタ３では除去し切れなかった映像信号成分（Ｐ）のレベルを更に低減する事ができる。従って、映像信号の影響を更に排除した状態で音声信号の増幅とＡＭ検波することができるので、映像信号が原因となるバズ音の発生を抑えることができる。
【００５９】
また、本形態では、ＳＩＦ用ＳＡＷフィルタ３とＰＩＦトラップ回路７が共にＳＡＷフィルタで構成されているが、これらのＳＡＷフィルタは、抵抗Ｒ１１およびＲ１２を介して接続しているため、ＳＡＷフィルタ間の相互干渉による特性への影響を排除することができる。
【００６０】
なお、ＳＡＷフィルタ間の相互干渉による特性への影響を排除するにあたっては、抵抗に限らず他のインピーダンス素子に置き換えてもよい。
【００６１】
（ＰＩＦトラップ回路７の具体例２）
図７（ａ）、（ｂ）はそれぞれ、本発明の実施の形態２に係るテレビ受信機において、図５に示すＰＩＦトラップ回路７の具体例を示す回路図、およびこのＰＩＦトラップ回路７のトラップ特性を示す説明図である。
【００６２】
本形態では、図７（ａ）に示すように、ＳＩＦ用ＳＡＷフィルタ３の不平衡入力端子（点ｂ）には、ＳＩＦ同調アンプ６から出力された信号が入力され、平衡出力端子ｃaおよびｃbには、それぞれコンデンサＣ１１およびＣ１２が直列接続され、ＩＦ増幅／検波回路５のＳＩＦ用差動入力端子ｃcおよびｃdにそれぞれ入力されている。
【００６３】
また、本形態では、ＰＩＦトラップ回路７として、インダクタＬｐおよびコンデンサＣｐから成る直列共振回路７２が用いられている。このようなＬＣ構成の直列共振回路７２においては、図７（ｂ）に示すように、図６（ａ）、（ｂ）を参照して説明したＳＡＷトラップほど急峻なトラップ特性を得ることは難しいが、ＬＣの定数設定次第で任意なＱのトラップを構成できるため、汎用の部品で比較的容易に目的を達成することが可能となる。
【００６４】
また、トラップ周波数での絶対減衰量が少なくても搬送波周波数前後の変調された映像信号成分も同時に効果的に除去できるため、音声検波出力ヘの映像信号の影響を軽減することができ、結果的にバズの発生を防止することができる。
【００６５】
（ＰＩＦトラップ回路７の他の例）
なお、ＰＩＦ帯が広がっている場合があるので、ＳＩＦを除くＰＩＦ信号帯域を包含するようにＰＩＦトラップ回路７の減衰帯域を設定した構成、あるいは、ＳＩＦを除くＰＩＦ信号帯域を包含するようにＰＩＦトラップ回路７のＱを設定した構成を採用してもよい。
【００６６】
また、ＰＩＦトラップ回路７の減衰帯域がＳＩＦを除くＰＩＦ信号帯域を包含するように、少なくともＰＩＦトラップ回路７を含む複数のトラップ回路を設けてもよく、この場合、複数のトラップ回路が一体になったトラップ素子を用いることが好ましい。
【００６７】
【発明の効果】
以上説明したように、本発明を適用したＰＡＬおよびＳＥＣＡＭ−Ｌ方式対応型テレビ受信機では、音声信号が映像信号と同様に振幅変調であるＳＥＣＡＭ−Ｌ方式のテレビ信号を受信する際に、音声受信感度の向上と映像信号の影響によるバズ音の発生とを効果的に軽減することができる。特に送信信号のＰ−Ｓ比が大きい場合や移動受信時のマルチパスによりＰ−Ｓ比が大きくなった場合などに効果的である。また、ＰＡＬ方式などＳＥＣＡＭ−Ｌ以外のＦＭテレビ音声の受信に際しても、受信感度の向上、および更なる音声品位の向上を図ることができる。
【図面の簡単な説明】
【図１】本発明の実施の形態１に係るテレビ受信機の受信回路に関するブロック図である。
【図２】（ａ）、（ｂ）はそれぞれ、図１に示すテレビ受信機の音声中間周波数同調アンプの具体例を示す回路図、およびこの音声中間周波数同調アンプのアンプ特性を示す説明図である。
【図３】（ａ）、（ｂ）はそれぞれ、図１に示すテレビ受信機の音声中間周波数同調アンプに係る別の具体例を示す回路図、およびこの音声中間周波数同調アンプのアンプ特性を示す説明図である。
【図４】図３（ａ）に示す音声中間周波数同調アンプに使用されている可変容量ダイオードの電圧−容量特性を示す説明図である。
【図５】本発明の実施の形態２に係るテレビ受信機の受信回路に関するブロック図である。
【図６】（ａ）、（ｂ）はそれぞれ、図５に示すテレビ受信機の映像中間周波数トラップ回路の具体例を示す回路図、およびこの映像中間周波数トラップ回路のトラップ特性を示す説明図である。
【図７】（ａ）、（ｂ）はそれぞれ、図５に示すテレビ受信機の映像中間周波数トラップ回路に係る別の具体例を示す回路図、およびこの映像中間周波数トラップ回路のトラップ特性を示す説明図である。
【図８】従来のテレビ受信機の受信回路に関するブロック図である。
【図９】チューナ出力の周波数特性の一例を示す説明図である。
【図１０】（ａ）、（ｂ）はそれぞれ、映像中間周波数用ＳＡＷフィルタおよび音声中間周波数用ＳＡＷフィルタの特性の一例を示す説明図である。
【図１１】テレビ信号のスペクトラム例を示す説明図である。
【符号の説明】
１  アンテナ
２  チューナ
３  ＳＩＦ用ＳＡＷフィルタ（音声中間周波数用ＳＡＷフィルタ）
４  ＰＩＦ用ＳＡＷフィルタ（映像中間周波数用ＳＡＷフィルタ）
５  ＩＦ増幅／検波回路
６  ＳＩＦ同調アンプ（音声中間周波数同調増幅回路）
６１  ＳＩＦタンク回路
７  ＰＩＦトラップ回路（映像中間周波数トラップ回路）
７１  ＰＩＦトラップ回路を構成するＳＡＷフィルタ素子
７２  ＰＩＦトラップ回路を構成する直列共振回路
【図１】
0003800036.tif 000002
【図２】
0003800036.tif 000003
【図３】
0003800036.tif 000004
【図４】
0003800036.tif 000005
【図５】
0003800036.tif 000006
【図６】
0003800036.tif 000007
【図７】
0003800036.tif 000008
【図８】
0003800036.tif 000009
【図９】
0003800036.tif 000010
【図１０】
0003800036.tif 000011
【図１１】
0003800036.tif 000012